(57)【要約】(A)電話線などのケーブルが据え付けられ、地面または壁面に取り付けられるベース12と、(B)前記ケーブルを保護し、前記ベース12を覆うカバー14と、からなる配線モール10の端部同士を配線方向に応じて連結すべく、本発明の被覆具100は、(1)前記ベース12の厚みに相当する厚さを有し、前記配線モール10の配線方向に応じて複数の受け入れ凹部102'が切欠形成された連結ベース102と、(2)前記連結ベース102の上部側に組み付けられ、前記配線モール10のカバー14の外面形状に対応する被覆凹部104'が凹設され、少なくとも２以上の配線モール10の端部がなす連結部を覆う連結カバー104と、(3)前記連結ベース102の上部側と前記連結カバー104の下部側にそれぞれ複数配設されて、これらを相互に組み付ける組み付け具106とを含む。そして、前記受け入れ凹部102'に配線モール10のベース12が差し込まれる。【選択図】図１２
2011505783.tif 000002
【特許請求の範囲】
【請求項１】
電話線などのケーブルが据え付けられ、地面または壁面に取り付けられるベース（１２）と、
前記ケーブルを保護し、前記ベース（１２）を覆うカバー（１４）とからなる配線モールについて、これら配線モールの端部同士を、配線方向に応じて連結する被覆具において、
前記被覆具（１００）は、
前記ベース（１２）の厚みに相当する厚みを有し、前記配線モール（１０）の配線方向に応じて少なくとも２以上の受け入れ凹部（１０２'）が切欠形成された連結ベース（１０２）と、
前記連結ベースの上部側に組み付けられ、前記配線モールのカバー（１４）の外面形状に対応する被覆凹部（１０４'）が凹設され、少なくとも２以上の配線モールの端部がなす連結部を覆う連結カバー（１０４）と、
前記連結ベースの上部側と前記連結カバーの下部側とにそれぞれ複数配設されて前記連結ベースと連結カバーとを相互に組み付ける組み付け具（１０６）と、
を備え、
前記受け入れ凹部（１０２'）に配線モールのベース（１２）が差し込まれることを特徴とする配線モール連結部の被覆具。
【請求項２】
前記連結ベース（１０２）は、
前記受け入れ凹部（１０２'）の両側に突設されて前記被覆凹部（１０４'）と組み合わさることによりモール組み付け穴（１０３）を形成する組み付け段部（１０１）と、
前記連結ベース（１０２）の底面に備えられて地面または壁面に貼り付けられる接着テープ（１０５）と、
ボルトなどの固定具により地面または壁面に固定するために前記連結ベースの中央に貫通孔として設けられた締付孔（１０７）と、
をさらに備えることを特徴とする請求項１に記載の配線モール連結部の被覆具。
【請求項３】
前記組み付け具（１０６）は、
前記組み付け段部（１０１）の上部側と被覆凹部（１０４'）の下部側にそれぞれ配設される、組み付け突起及び組み付け凹部、または、係止フック及び係止凹部からなることを特徴とする請求項２に記載の配線モール連結部の被覆具。
【請求項４】
前記被覆具（１００）は、
地面または壁面上にて隣り合う前記配線モール（１０）の両端部が対向しつつ一直線をなす部位に組み付けられるものであり、前記連結ベース（１０２）の両端にそれぞれ前記受け入れ凹部（１０２'）を凹設し、前記組み付け段部（１０１）と連結カバー（１０４）の被覆凹部（１０４'）がそれぞれなすモール組み付け穴（１０３）が一直線上に形成される直線方向被覆具（１１０）と、
地面または壁面上にて隣り合う前記配線モール（１０）の両端部が直交する部位に組み付けられるものであり、前記連結ベースの直角方向に前記受け入れ凹部を凹設し、前記モール組み付け穴が直交方向に形成される直角方向被覆具（１２０）と、
地面または壁面上にて隣り合う前記配線モールの三端部が互いに直交する部位に組み付けられるものであり、前記直線方向被覆具の両側のモール組み付け穴（１０３）と直交方向に分枝モール組み付け穴（１０３'）をさらに備える三方向被覆具（１３０）と、
地面または壁面上に隣り合う前記配線モールの四端部が互いに直交する部位に組み付けられるものであり、前記三方向被覆具の分枝モール組み付け穴（１０３'）と対向する分枝モール組み付け穴（１０３"）をさらに有する四方向被覆具（１４０）と、
のうちから、いずれか一つを適切に選択して、
前記配線モールの配線方向に応じて前記配線モールの各端部がなす連結部を覆って使用できるようにしたことを特徴とする請求項３に記載の配線モール連結部の被覆具。
【請求項５】
前記被覆具（１００）は、
地面と壁面とにそれぞれ取り付けられて隣り合う前記配線モール（１０）の両端部が互いに直交する部位に組み付けられるものであり、前記直線方向被覆具（１１０）を直角に折り曲げて前記モール組み付け穴（１０３）が互いに直交するようにした２平面直角方向被覆具（１５０）と、
地面に取り付けられた少なくとも１以上の配線モール端部が壁面に取り付けられた少なくとも１以上の配線モール端部と連結される部位に組み付けられるものであり、前記四方向被覆具（１４０）のモール組み付け穴（１０３、１０３）及び分枝モール組み付け穴（１０３'、１０３"）の形成部位のうちいずれか一ヶ所を直角に折り曲げて前記各組み付け孔（１０３、１０３、１０３'、１０３"）のうちいずれか一つが残りの３つと互いに直交をなす２平面複数直角方向被覆具（１６０）と、
のうちから、いずれか一つを適切に選択して、
前記配線モールの配線方向に応じて前記配線モールの各端部がなす連結部を覆って使用できるようにしたことを特徴とする請求項４に記載の配線モール連結部の被覆具。
【請求項６】
前記各被覆具（１１０、１２０、１３０、１４０、１５０、１６０）のモール組み付け穴（１０３）または分枝モール組み付け穴（１０３'、１０３"）には、
前記各組み付け孔（１０３、１０３'、１０３"）の形状に対応して装着される被覆カバー（１０９）がさらに配設されて、
前記各組み付け孔のうち未使用個所を被覆できるようにすることを特徴とする請求項１から５のいずれかに記載の配線モール連結部の被覆具。
【請求項７】
前記被覆カバー（１０９）は、
前記各被覆具（１１０、１２０、１３０、１４０、１５０、１６０）の組み付け段部（１０１）にそれぞれ形成されて互いに対向するスライド凹部（１０１'）に嵌合されることを特徴とする請求項６に記載の配線モール連結部の被覆具。
【発明の詳細な説明】
【技術分野】
【０００１】
本発明は配線モール連結部の被覆具に関する。さらに詳しくは、受け入れ凹部が凹設された連結ベース、被覆凹部が凹設された連結カバー及び組み付け具を備え、前記受け入れ凹部と被覆凹部がなすモール組み付け孔と配線モール端部が互いに組み付けられるような構成を採択して一層強固でかつすっきりした配線及び配線モールの整理が可能になるようにした配線モール連結部の被覆具に関する。
【背景技術】
【０００２】
通常の配線モールは、図１（ａ）に示すように、下部の受け板１１と上部の蓋体１２とから構成され、受け板１１の両側には弾性片１１ａ及び突設部１１ｂが配設され、蓋体１２の両側には前記弾性片１１ａと突設部１１ｂとの間に挿設可能な係止部１２ａが配設されている。
【０００３】
また、上記の如き配線モールだけではなく、図１（ｂ）に示すように、例えば、下記の大韓民国実用新案出願公開KR1998-0021578U(20-1998-0021578)に開示の「電線保護モール」は、底面である基板部１、両側壁である両側フランジ部２、３、前記両側フランジ部２、３の間を覆う蓋体部４、及び前記一方のフランジ２と前記蓋体部４との間において前記蓋体部４の回動性を強化する薄肉部５などからなる。
【０００４】
ここで、図１（ｂ）における未説明符号１ａは両面接着テープを、３ｂは嵌合溝を、４ｂは嵌合突起を、６は電線をそれぞれ示す。
【０００５】
しかしながら、上記の如き構成の配線モールは、右倒しL字状（中心から右方及び手前側へ延びるL字状）、左倒しT字状（縦線の中心から右方へ枝が延びるT字状）、または「＋」状に複数の配線モールが交差したり折曲される部分の被覆が不可能であることに起因して内部に載置された電線やケーブルが外部に露出されざるを得ないため、被覆の剥離などによる漏電または安全事故の危険を内包せざるを得ないものであった。
【０００６】
上記の如き観点から案出されたものとして、例えば、日本登録実用 第015396号に記載の「線類または管類の保護具」（以下、「先行技術１」と称する。）などのものは、図２（ａ）に示すように、基台Ｂ'を覆うカバーＣ'からなる保護具の各端部が、直交する部位に露出されたケーブルＡを保護するために、前記基台Ｂ'の各カバーＣ'と組み付けられる補助カバーＤ'の組み付け様式を示す。
【０００７】
前記先行技術１は、図２（ｂ）に示すように、基台Ｂ１のベース１の上部に形成された組み付け板２と外側に係止凹部８が凹設されたカバーＣ１が互いに組み付けられて配線モールをなし、前記係止凹部８に補助カバーＤ１の内側に配設された係止突起１１が組み付けられて被覆されるものである。
【０００８】
また、前記先行技術１に示すように、右倒しL字状（中心から右方及び手前側へ延びるL字状）の折曲部だけではなく、左倒しT字状（縦線の中心から右方へ枝が延びるT字状）または「＋」状に配線が交差したり折曲する部分の被覆のために案出されたものとして、例えば、下記の大韓民国登録実用KR0273473U（20-0273473）に記載の「ケーブルモール非直線連結部連結装置」（以下、「先行技術２」と称する。）などのものも挙げられる。
【０００９】
図３（ａ）に示すように、前記先行技術２は、ケーブル保護用内部空間６を備えた直角形構造のカバー式非直線連結部連結装置８、Ｔ状構造のカバー式非直線連結部連結装置９及び十字状構造のカバー式非直線連結部連結装置１０などの実施形態を適用することができる。
【００１０】
そして、前記先行技術２は、図３（ｂ）に示すように、２片に分離した直角状構造の連結装置３９、３片に分離したＴ状構造の連結装置４０及び４片に分離した十字状構造の連結装置４１などの実施形態をも適用することができる。
【００１１】
しかしながら、これらの先行技術は、指定された配線モール以外には使用することができないという問題点がある。
【００１２】
すなわち、前記先行技術１の場合、カバーＣ１の外側に係止凹部８が凹設されていない他の形状の配線モールである場合、前記補助カバーＤ１に接着剤を塗布して仕上施工したり係止突起１１を切り抜いて施工するなど幅広い対応が不可能である。
【００１３】
また、前記先行技術２は、前記先行技術１と同様に、指定された配線モール以外には使用することができないだけではなく、図３（ｂ）に示すように、複数片に分離して実施すること自体が加工上の煩雑さを来たすと共に、すっきりした配線の被覆を行い難いことはもとより、施工時間が大きく延びることを余儀なくされる。
【先行技術文献】
【特許文献】
【００１４】
【特許文献１】韓国特許出願公開KR2003-062025A
【特許文献２】日本特許JP084611B
【特許文献３】米国特許US6037543A
【特許文献４】韓国実用新案出願公開KR1990-016250U
【発明の概要】
【発明が解決しようとする課題】
【００１５】
本発明は上記事情に鑑みてなされたものであり、その目的は、一層強固で且つすっきりした配線及び配線モールの整理が可能になるようにする配線モール連結部の被覆具を提供するところにある。
【００１６】
また、本発明の他の目的は、熟練度とは無関係に、付着・設置に至る一連の施工が簡単且つ迅速に行われるようにする配線モール連結部の被覆具を提供するところにある。
【課題を解決するための手段】
【００１７】
上記の目的を達成するために、本発明は、電話線などのケーブルが据え付けられ、地面または壁面に取り付けるベースと、前記ケーブルを保護し、前記ベースを被覆するカバーとからなる配線モールの各端部の相互間を配線方向に応じて連結するための被覆具において、前記被覆具は、前記ベースの厚みに相当する厚みを有し、前記配線モールの配線方向に応じて少なくとも２以上の受け入れ凹部が切欠形成された連結ベースと、前記連結ベースの上部側に組み付けられ、前記配線モールのカバーの外面形状に対応する被覆凹部が凹設され、少なくとも２以上の配線モールの端部がなす連結部を被覆する連結カバーと、前記連結ベースの上部側と前記連結カバーの下部側にそれぞれ複数配設されて前記連結ベースと連結カバーとを相互に組み付ける組み付け具と、を備え、前記受け入れ凹部に配線モールのベースが差し込まれることを特徴とする
【発明の効果】
【００１８】
上記の如き構成の本発明によれば、下記の効果が得られる。
【００１９】
先ず、指定された配線モール形状以外には対応して使用することができないという限界があり、被覆具の加工及び施工過程が煩雑であり、しかも、仕上部がすっきりしておらず、外部衝撃に弱いという問題を抱えていた従来の技術に比べて、配線モールカバーの外面に対応する種々の形状の被覆凹部からなるモール組み付け穴を備え、配線モールのベースが載置される受け入れ凹部を備えた連結ベースの構成を採択して被覆部がすっきりした配線及び配線モールの整理が可能になるといった特長点がある。
【００２０】
そして、本発明は、固定具と壁面または地面との結合が、連結ベースの底面の接着テープと共に、中央の締付孔を通して行われることによって一層強固な固定結合が可能になることから、強い外部衝撃にも壁面または地面からの離脱が起こらないなどの利点がある。
【００２１】
さらに、本発明は、未使用個所について、被覆カバーをもって各組み付け孔を覆って使用できるようにした構成を採択することにより、外部からの異物やほこりの流入を未然に防止し、内部の配線を安全に保護することができるというメリットがある。
【００２２】
また、本発明は、壁面から地面に、または地面から壁面につながる複数の配線方向についても被覆して施工可能な被覆具の構成を採択することにより、不要な配線モールの使用量を低減することができ、熟練度とは無関係に簡単に施工することができるという特長点があるなど極めて有用な発明である。
【図面の簡単な説明】
【００２３】
【図１】通常の配線モールの種々の実施形態を示す概念図。
【図２】従来の配線モール連結部の被覆具の構成を示す概念図。
【図３】従来の配線モール連結部の被覆具の構成を示す概念図。
【図４】本発明に係る配線モール被覆具の種々の実施形態を示す斜視図及び分解斜視図。
【図５】本発明に係る配線モール被覆具の種々の実施形態を示す斜視図及び分解斜視図。
【図６】本発明に係る配線モール被覆具の種々の実施形態を示す斜視図及び分解斜視図。
【図７】本発明に係る配線モール被覆具の種々の実施形態を示す斜視図及び分解斜視図。
【図８】本発明に係る配線モール被覆具の種々の実施形態を示す斜視図及び分解斜視図。
【図９】本発明に係る配線モール被覆具の種々の実施形態を示す斜視図及び分解斜視図。
【図１０】本発明に係る配線モール連結部の被覆具と被覆カバーの結合状態を示す斜視図及び分解斜視図。
【図１１】本発明に係る配線モール連結部の被覆具を配線モール連結部に適用した実施形態を示す斜視図。
【図１２】本発明に係る配線モール連結部の被覆具を配線モール連結部に適用した実施形態を示す斜視図。
【発明を実施するための形態】
【００２４】
以下、添付図面に基づき、本発明の好適な実施形態を説明する。
【００２５】
図４から図９は、本発明に係る配線モール被覆具の様々な実施形態を示す斜視図及び分解斜視図であり、同図に示すように、本発明に係る配線モール被覆具（以下、「被覆具１００'」と称する。）は、概略、連結ベース１０２、連結カバー１０４及び組み付け具１０６からなる。
【００２６】
ここで、前記被覆具１００は、電話線などのケーブル（図示せず）が据え付けられ、地面または壁面に取り付けられるベース１２と、前記ケーブルを保護し、前記ベース１２を被覆するカバー１４とからなる配線モール１０の各端部について、相互に配線方向に応じて連結して被覆する役割を果たすものである。
【００２７】
先ず、図４に示すように、本発明に係る被覆具１００の連結ベース１０２は、前記ベース１２の厚みに相当する厚みｔを有し、前記配線モール１０の配線方向に沿って少なくとも２以上の受け入れ凹部１０２'が切欠形成されたものであり、前記連結ベース１０２には、組み付け段部１０１、接着テープ１０５及び締付孔１０７がさらに備えられている。
【００２８】
前記組み付け段部１０１は、前記受け入れ凹部１０２'の両側にて突設されて後述する連結カバー１０４の被覆凹部１０４'と組み付けられることにより、モール組み付け穴１０３を形成し、前記接着テープ１０５は、前記連結ベース１０２の底面に備え付けられ、地面または壁面に取り付けて固定するためのものである。
【００２９】
ここで、前記締付孔１０７は、ボルトなどの固定具（図示せず）により地面または壁面に固定するために前記連結ベース１０２の中央に貫通形成される。一層強固な固定のためのものであると共に、強い外部衝撃にも地面または壁面から離脱しないようにするために備えられるものである。
【００３０】
ここで、前記受け入れ凹部１０２'は、配線モール１０のベース１２が載置されることにより、一層すっきりした前記被覆具１００への収納及び被覆整理がなされるようにする技術的手段であるといえる。
【００３１】
これは、上述したように、前記受け入れ凹部１０２'が凹設された連結ベース１０２の厚さｔが前記配線モール１０のベース１２の厚さｔに等しいことに起因する。
【００３２】
一方、前記連結カバー１０４は、前記連結ベース１０２の上部側に組み付けられ、前記配線モール１０のカバー１４の外面形状に対応する被覆凹部１０４'が、前記受け入れ凹部１０２'と対応する位置に形成され、前記受け入れ凹部１０２'と被覆凹部１０４'とが上述した如きモール組み付け穴１０３を形成し、少なくとも２以上の配線モール１０の端部がなす連結部を被覆する役割を果たす。
【００３３】
ここで、前記被覆凹部１０４'は、その形状を本発明において円弧形状に示しているが、これに限定されるものではなく、図１（ｂ）に示すように、配線モールの形状など種々の形状に対応可能に製作することができるということは、当業界における通常の知識を持った者にとり、いくらでも変形及び応用可能な範疇内のことである。
【００３４】
一方、本発明に係る組み付け具１０６は、前記連結ベース１０２の上部側と前記連結カバー１０４の下部側、さらに詳しくは、前記連結ベース１０２の組み付け段部１０１の上部側と、前記組み付け段部１０１の上部側に対応する前記連結カバー１０４の下部側にそれぞれ複数配設されて前記連結ベース１０２と連結カバー１０４とを相互に組み付ける役割を果たす。
【００３５】
ここで、前記組み付け具１０６は、図示の如く、前記組み付け段部１０１の上部側と被覆凹部１０４'の下部側にそれぞれ配設される組み付け突起と組み付け凹部との組み合わせ、または、係止フックと係止凹部との組み合わせなどにより実施可能であり、これらの他にも種々の組み付け方法を講じることが可能であることはいうまでもない。
【００３６】
以上述べたように、本発明に係る配線モール連結部の被覆具は、種々の実施形態を適用することができ、図４に示すように、モール組み付け穴１０３が一直線上に形成される直線方向被覆具１１０だけではなく、図５から図７にそれぞれ示すように、直角方向被覆具１２０、三方向被覆具１３０及び四方向被覆具１４０などの実施形態を適用することができる。
【００３７】
ここで、前記直線方向被覆具１１０は、図４に示すように、地面または壁面上に隣り合う前記配線モール１０の両端部が対向しつつ一直線をなす部位に組み付けられるものであり、前記連結ベース１０２の両端にそれぞれ前記受け入れ凹部１０２'が形成され、前記モール組み付け穴１０３が一直線上にそれぞれ形成されて「−」状または「I」状に配線モールを互いに連結できるようにする役割を果たす。
【００３８】
そして、前記直角方向被覆具１２０は、図５に示すように、地面または壁面上にて、隣り合う前記配線モール１０（以下、図４参照）の両端部が直交する部位に組み付けられるものであり、前記連結ベース１２の直角方向に前記受け入れ凹部１０２'を凹設し、前記モール組み付け穴１０３が直交方向に形成されて右倒しL字状（中心から右方及び手前側へ延びるL字状）、左倒しL字状（中心から左方及び手前側へ延びるL字状）、左右反転L字状（中心から左方及び奥側へ延びるL字状）または正立L字状（中心から奥側及び右方へ延びるL字状）に配線モールを互いに連結できるようにする役割を果たす。
【００３９】
さらに、前記三方向被覆具１３０は、図６に示すように、地面または壁面上に隣り合う前記配線モール１０の三端部が互いに直交する部位に組み付けられるものであり、前記直線方向被覆具１１０の両側のモール組み付け穴１０３と、直交方向の分枝モール組み付け穴１０３'をさらに備えて左倒しT字状（縦線の中心から右方へ枝が延びるT字状）、正立T字状（横線の中心から手前側へ枝が延びるT字状）、右倒しT字状（縦線の中心から左方へ枝が延びるT字状）、または上下反転T字状（横線の中心から奥側へ枝が延びるT字状）状に配線モールを互いに連結する役割を果たす。
【００４０】
また、前記四方向被覆具１４０は、図７に示すように、地面または壁面上にて、隣り合う前記配線モール１０の四端部が互いに直交する部位に組み付けられるものであり、前記三方向被覆具１３０の分枝モール組み付け穴１０３'の他に、対向する分枝モール組み付け穴１０３"がさらに配設されて「＋」状に配線モールを互いに連結する役割を果たす。
【００４１】
これらに加えて、本発明による配線モール連結部の被覆具は、地面から壁面へと、または壁面から地面へとつながる配線を保護する配線モール１０の各端部を互いに連結する被覆具１００として、図８及び図９に示すように、２平面直角方向被覆具１５０及び２平面複数直角方向被覆具１６０などの実施形態を適用することもできるということは言うまでもない。
【００４２】
前記２平面直角方向被覆具１５０は、図８に示すように、地面と壁面にそれぞれ取り付けられて隣り合う前記配線モール１０の両端部が、互いに直交する部位に組み付けられるものであり、前記直線方向被覆具１１０を直角に折り曲げ、さらに詳しくは、連結ベース１０２及び連結カバー１０４を直角に折り曲げ、前記受け入れ凹部１０２'と被覆凹部１０４'がなすモール組み付け穴１０３が、互いに直交をなすようにして被覆できるようにしたものである。
【００４３】
そして、２平面複数直角方向被覆具１６０は、図９に示すように、前記四方向被覆具１４０のモール組み付け穴１０３、１０３及び分枝モール組み付け穴１０３'、１０３"の形成部位のうちいずれか一ヶ所を直角に折り曲げ、前記各組み付け孔１０３、１０３、１０３'、１０３"のいずれか一つが残りの３つと互いに直交をなすようにすることにより、地面に取り付けられた少なくとも１以上の配線モール１０の端部が、壁面に取り付けられた少なくとも１以上の配線モール１０の端部と連結される部位を被覆結合することになる。
【００４４】
上記の如き構成の本発明に係る各被覆具１１０、１２０、１３０、１４０、１５０、１６０は、いずれも連結ベース１０２の下部面に接着テープ１０５（便宜上、図４を除いては省略する。）及び前記連結ベース１０２の中央に締付孔１０７が備えられるようにする。
【００４５】
ここで、２平面直角方向被覆具１５０及び２平面複数直角方向被覆具１６０は、前記接着テープ１０５及び締付孔１０７を、前記連結ベース１０２の折曲面のうち壁面接触部及び地面接触部の両方に配設されるようにしたり、選択的に一方の側にのみ備えられるようにすることができる。
【００４６】
一方、本発明に係る各被覆具１１０、１２０、１３０、１４０、１５０、１６０は、いずれも、図１０に示すように、モール組み付け穴１０３または分枝モール組み付け穴１０３'、１０３"の形状に対応して装着される被覆カバー１０９をさらに備えることで、前記各組み付け孔１０３、１０３'、１０３"のうち、未使用個所を被覆できるようにしてもよい。
【００４７】
ここでは、図１０に示すような２平面複数直角方向被覆具１６０に限定して図示したが、これに限定されないことは上述の通りである。各被覆具１１０、１２０、１３０、１４０、１５０、１６０の組み付け段部１０１に、それぞれ形成されて互いに対向するスライド凹部１０１'に嵌合されてすっきりした未使用個所の被覆を図ることが可能になる。
【００４８】
ここで、前記被覆カバー１０９には、被覆時にほこりや異物が前記連結ベース１０２と連結カバー１０４がなす内部空間に流入することを防ぐために、前記受け入れ凹部１０２'に対応する厚さと幅に、前記受け入れ凹部１０２'を被覆する被覆ブロック１０９'がさらに備えられることが好ましい。
【００４９】
上記の如き構成の本発明に係る配線モール連結部の被覆具を、実際に配線モール１０の各端部が隣り合う部分に被覆結合して被覆た実施形態を図１１及び図１２に基づいて簡単に説明する。
【００５０】
図１１及び図１２における未表記符号は図４から図１０の符号を参照することとし、三方向被覆具１３０及び２平面複数直角方向被覆具１６０以外のものについては、ほとんど同様であるためこれについての説明を省く。
【００５１】
先ず、本発明に係る被覆具１００、さらに詳しくは、三方向被覆具１３０は、図１１に示すように、地面Ｂ上にて隣り合う配線モール１０の三端部が、互いに直交する部位に（さらに詳しくは、前記先行技術２における図２（ｂ）に示す状態を参照されたい。）、前記配線モール１０の各端部を、連結ベース１０２の受け入れ凹部１０２'に差し込んで連結カバー１０４により被覆して施工することができる。
【００５２】
そして、本発明に係る被覆具１００、さらに詳しくは、２平面複数直角方向被覆具１６０によると、図１２に示すように、壁面Ｗ上に取り付けられた配線モール１０は、地面Ｂ上に連結されて互いに直交する配線モール１０の両端部がそれぞれ互いに直交をなす部位において、連結ベース１０２と連結カバー１０４との相互結合により被覆施工が可能である。
【００５３】
ここで、２平面複数直角方向被覆具１６０の各組み付け孔１０３、１０３、１０３'、１０３"のうち、未使用個所であるモール組み付け穴１０３には被覆カバー１０９を装着してすっきりした被覆を図ることが可能になる。
【００５４】
以下、上記の如き構成の本発明に係る配線モール連結具の被覆具を施工する過程について説明する。ここで、説明の便宜上、直線方向被覆具１１０を例にとって説明する。
【００５５】
まず、ユーザーは、配線モール１０が配置される位置を把握し、配線モール１０の両端部が隣り合う位置にて、被覆具１００、すなわち、直線方向被覆具１１０の連結ベース１０２の底面の接着テープ１０５により、地面Ｂと前記連結ベース１０２とを相互に固定する。この後、前記連結ベース１０２の中央の締付孔１０７を通して、釘やボルトなどの固定具により地面Ｂと強固に固定結合する。
【００５６】
この後、ユーザーは、前記配線モール１０の各端部を前記連結ベース１０２の受け入れ凹部１０２'に対応して載置しながら前記配線モール１０のベース１２の底面に配設された接着テープ（図示せず）により前記ベース１２を固定し、前記ベース１２に配線（図示せず）を配置し、カバー１４により被覆する。
【００５７】
最終的に、ユーザーは、上記のようにして設定された直線方向被覆具１１０の連結ベース１０２の上部側、さらに詳しくは、組み付け段部１０１の上部側と連結カバー１０４の被覆凹部１０４'の下部側に配設された組み付け具１０６を互いに結合して前記連結カバー１０４が連結ベース１０２の上部側に被覆される形状に施工が完了するのである。
【００５８】
以上述べたように、本発明は、一層強固で且つすっきりした配線及び配線モールの整理が可能であることはもとより、熟練度とは無関係に取り付け、設置に至る一連の施工が簡単で且つ迅速に行われるようにする配線モール連結部の被覆具を提供することをその基本的な技術的思想としていることが分かる。
【００５９】
そして、本発明の基本的な技術的思想の範疇内において当該業界における通常の知識を持った者にとっては多くの変形及び応用が可能であることは言うまでもない。
【符号の説明】
【００６０】
１００…被覆具、１０１…組み付け段部、１０１'…スライド凹部、１０２…連結ベース、１０２'…受け入れ凹部、１０３',１０３"…分枝モール組み付け穴、１０４…連結カバー、１０４'…被覆凹部、１０６…組み付け具、１１０…直線方向被覆具、１２０…直角方向被覆具、１３０…三方向被覆具、１４０…四方向被覆具、１５０…２平面直角方向被覆具、１６０…２平面複数直角方向被覆具
【図１（ａ）】
2011505783.tif 000003
【図１（ｂ）】
2011505783.tif 000004
【図２（ａ）】
2011505783.tif 000005
【図２（ｂ）】
2011505783.tif 000006
【図３（Ａ）】
2011505783.tif 000007
【図３（Ｂ）】
2011505783.tif 000008
【図４（ａ）】
2011505783.tif 000009
【図４（ｂ）】
2011505783.tif 000010
【図５（ａ）】
2011505783.tif 000011
【図５（ｂ）】
2011505783.tif 000012
【図６（ａ）】
2011505783.tif 000013
【図６（ｂ）】
2011505783.tif 000014
【図７（ａ）】
2011505783.tif 000015
【図７（ｂ）】
2011505783.tif 000016
【図８（ａ）】
2011505783.tif 000017
【図８（ｂ）】
2011505783.tif 000018
【図９（ａ）】
2011505783.tif 000019
【図９（ｂ）】
2011505783.tif 000020
【図１０】
2011505783.tif 000021
【図１１】
2011505783.tif 000022
【図１２】
2011505783.tif 000023
【国際調査報告】
2011505783.tif 000024
2011505783.tif 000025